(57)【要約】【課題】ユーザ由来のコンテンツを効率的に配信処理可能とする。【解決手段】所定施設１０内の所定箇所に設置されたカメラ装置１５よりユーザ２５を被写体とした画像データを取得しＩＤ記録媒体２０に対する読取り動作で取得されたユーザＩＤを取得するコンテンツ取得部１１０と、画像データとユーザＩＤとを対応付けてコンテンツデータベース１２５に格納する格納処理部１１１と、コンテンツダウンロード用端末３００または所定場所に設置されているＩＤ読取り装置３５０よりユーザＩＤを含むコンテンツ取得要求を受信しユーザＩＤに対応付けされたコンテンツ１０００をコンテンツデータベース１２５から抽出するコンテンツ抽出部１１２と、コンテンツ１０００または当該コンテンツ１０００のダウンロード用の情報をコンテンツダウンロード用端末３００またはＩＤ読取り装置３５０に送信する配信処理部１１３と、からシステム構成する。【選択図】  図１
2006309543.tif 000002
【特許請求の範囲】
【請求項１】
コンテンツの配信制御を行うシステムであって、
所定施設内の所定箇所に設置されたカメラ装置より、ユーザを被写体とした静止画または動画の画像データを取得し、前記カメラ装置または当該カメラ装置の撮影ポイント周辺に設置されたＩＤ読取り装置より、前記ユーザが前記撮影ポイント周辺に携行していたＩＤ記録媒体に対する読取り動作で取得されたユーザＩＤを取得する、コンテンツ取得部と、
コンテンツとして取得した前記画像データと前記ユーザＩＤとを対応付けて、コンテンツデータベースに格納する、格納処理部と、
コンテンツダウンロード用端末または所定場所に設置されているＩＤ読取り装置より、ＩＤ記録媒体に対する読取り動作で取得されたユーザＩＤを含む、コンテンツ取得要求を受信し、このコンテンツ取得要求が含むユーザＩＤに対応付けされたコンテンツを、前記コンテンツデータベースから抽出する、コンテンツ抽出部と、
前記抽出したコンテンツおよび当該コンテンツのダウンロード用の情報のうち少なくとも一方を、前記コンテンツダウンロード用端末または前記ＩＤ読取り装置に送信する、配信処理部と、
を備えるコンテンツ配信制御システム。
【請求項２】
請求項１において、
前記コンテンツ取得部は、前記カメラ装置より画像データと撮影場所となった施設の情報とを取得し、前記カメラ装置または当該カメラ装置の撮影ポイント周辺に設置されたＩＤ読取り装置より、前記ユーザが前記撮影ポイント周辺に携行していたＩＤ記録媒体に対する読取り動作で取得されたユーザＩＤを取得し、
前記格納処理部は、コンテンツとして取得した前記画像データと前記施設情報と前記ユーザＩＤとを対応付けて、コンテンツデータベースに格納し、
前記コンテンツ抽出部は、コンテンツダウンロード用端末または所定場所に設置されているＩＤ読取り装置より、撮影場所となった施設の施設情報とＩＤ記録媒体に対する読取り動作で取得されたユーザＩＤとを含むコンテンツ取得要求を受信し、このコンテンツ取得要求が含む施設情報およびユーザＩＤに対応付けされたコンテンツを、前記コンテンツデータベースから抽出するものであることを特徴とする、コンテンツ配信制御システム。
【請求項３】
請求項１または２において、
前記コンテンツ抽出部は、前記コンテンツダウンロード用端末またはＩＤ読取り装置より受信したコンテンツ取得要求が、複数のユーザＩＤを含んでいた場合、各ユーザＩＤに対応付けされたコンテンツ群を前記コンテンツデータベースから抽出し、
前記配信処理部は、前記抽出したコンテンツ群または当該コンテンツ群のダウンロード用の情報を、前記コンテンツダウンロード用端末または前記ＩＤ読取り装置に送信する、ものであることを特徴とするコンテンツ配信制御システム。
【請求項４】
請求項１〜３のいずれかにおいて、
前記コンテンツ取得部は、前記カメラ装置より前記画像データおよび当該画像データの撮影日時情報を取得し、前記カメラ装置または当該カメラ装置の撮影ポイント周辺に設置されたＩＤ読取り装置より、前記ユーザが前記撮影ポイント周辺に携行していたＩＤ記録媒体に対する読取り動作で取得されたユーザＩＤと当該ユーザＩＤの読取り日時情報とを取得し、
前記格納処理部は、カメラ装置が設置されている各所定施設に関し時刻に基づき定められた運行計画に、前記取得した撮影日時情報およびユーザＩＤを照合し、該当画像データがどの施設においてどのユーザを対象に撮影されたものかを特定し、該当する画像データとユーザＩＤと施設情報とを対応付けてコンテンツデータベースに格納するものであることを特徴とするコンテンツ配信制御システム。
【請求項５】
請求項２〜４のいずれかにおいて、
前記コンテンツデータベースにおいて前記ユーザＩＤが対応付けされた利用済みの施設を特定し、この利用済み施設の情報を施設リストに照合して未利用施設の特定を行う、未利用特定部と、
前記未利用施設に設置されたカメラ装置撮影の画像データ、または、予め施設毎に用意されていた画像データを、該当ユーザが利用するダウンロード用端末またはＩＤ読取り装置に送信する、未利用施設画像送信部と、
を備えるコンテンツ配信制御システム。
【請求項６】
請求項１〜５のいずれかにおいて、
前記配信処理部は、コンテンツまたは当該コンテンツのダウンロード用の情報を、前記コンテンツダウンロード用端末または前記ＩＤ読取り装置を介して、リムーバブル型の記憶装置に送信するものであることを特徴とするコンテンツ配信制御システム。
【請求項７】
コンテンツの配信制御をコンピュータが実行する方法であって、
所定施設内の所定箇所に設置されたカメラ装置より、ユーザを被写体とした静止画または動画の画像データを取得し、前記カメラ装置または当該カメラ装置の撮影ポイント周辺に設置されたＩＤ読取り装置より、前記ユーザが前記撮影ポイント周辺に携行していたＩＤ記録媒体に対する読取り動作で取得されたユーザＩＤを取得し、
コンテンツとして取得した前記画像データと前記ユーザＩＤとを対応付けて、コンテンツデータベースに格納し、
コンテンツダウンロード用端末または所定場所に設置されているＩＤ読取り装置より、ＩＤ記録媒体に対する読取り動作で取得されたユーザＩＤを含む、コンテンツ取得要求を受信し、このコンテンツ取得要求が含むユーザＩＤに対応付けされたコンテンツを、前記コンテンツデータベースから抽出し、
前記抽出したコンテンツおよび当該コンテンツのダウンロード用の情報のうち少なくとも一方を、前記コンテンツダウンロード用端末または前記ＩＤ読取り装置に送信する、ことを特徴とするコンテンツ配信制御方法。
【請求項８】
コンテンツの配信制御方法をコンピュータに実行させるためのプログラムであって、
所定施設内の所定箇所に設置されたカメラ装置より、ユーザを被写体とした静止画または動画の画像データを取得し、前記カメラ装置または当該カメラ装置の撮影ポイント周辺に設置されたＩＤ読取り装置より、前記ユーザが前記撮影ポイント周辺に携行していたＩＤ記録媒体に対する読取り動作で取得されたユーザＩＤを取得するステップと、
コンテンツとして取得した前記画像データと前記ユーザＩＤとを対応付けて、コンテンツデータベースに格納するステップと、
コンテンツダウンロード用端末または所定場所に設置されているＩＤ読取り装置より、ＩＤ記録媒体に対する読取り動作で取得されたユーザＩＤを含む、コンテンツ取得要求を受信し、このコンテンツ取得要求が含むユーザＩＤに対応付けされたコンテンツを、前記コンテンツデータベースから抽出するステップと、
前記抽出したコンテンツおよび当該コンテンツのダウンロード用の情報のうち少なくとも一方を、前記コンテンツダウンロード用端末または前記ＩＤ読取り装置に送信するステップと、
を備えるコンテンツ配信制御プログラム。
【発明の詳細な説明】
【技術分野】
【０００１】
本発明は、コンテンツ配信制御システム、コンテンツ配信制御方法、およびコンテンツ配信制御プログラムに関する。
【背景技術】
【０００２】
コンテンツの配信技術が提案されている。例えば、最新の市場動向や消費者の指向に応じて、的確、速やか、かつ低コストでデジタルタイトルを配信するとの目的の下、 中央管理装置より回線を介して複数の端末装置にデジタルタイトルを配信するデジタル配信システムにおいて、前記中央管理装置が、複数の前記デジタルタイトルを蓄積する第１のタイトル蓄積手段と、前記デジタルタイトルを前記複数の端末装置に送信するタイトル送信手段と、前記中央管理装置から前記各端末装置に送るべき下りのマーケティング情報を送信する第１のマーケティング情報送信手段と、前記各端末装置からの上りのマーケティング情報を受信する第１のマーケティング情報受信手段とを有し、前記端末装置が、それぞれ、前記デジタルタイトルを受信するタイトル受信手段と、前記タイトル受信手段で受信したデジタルタイトルを蓄積する第２のタイトル蓄積手段と、前記下りのマーケティング情報を受信する第２のマーケティング情報受信手段と、受信した前記下りのマーケティング情報を利用者に対して提示する提示手段と、前記利用者によって選択されたデジタルタイトルを前記第２のタイトル蓄積手段から読み出して取外し可能な記録媒体に記録する記録手段と、前記上りのマーケティング情報を前記中央管理装置に送信する第２のマーケティング情報送信手段とを有し、前記上りのマーケティング情報が、前記提示手段及び／または前記記録手段に対して前記利用者が行った行動に関する情報に基づいて生成されることを特徴とするデジタル配信システム（特許文献１参照）などが提案されている。
【特許文献１】特開平９−２０４３７８号公報
【発明の開示】
【発明が解決しようとする課題】
【０００３】
しかしながら、配信コンテンツはコンテンツの制作会社等が予め容易しているものであり、例えばユーザを被写体とした画像等をアミューズメント施設等で効率的に撮影し、これを配信対象とすることがなかった。従って、こうした、ユーザが入手を希望するコンテンツの配信処理を効率的かつユーザフレンドリーに実現する技術が提案されていなかった。
【０００４】
そこで本発明は上記課題を鑑みてなされたものであり、ユーザ由来のコンテンツを効率的に配信処理可能とする、コンテンツ配信制御システム、コンテンツ配信制御方法、およびコンテンツ配信制御プログラムを提供することを主たる目的とする。
【課題を解決するための手段】
【０００５】
上記課題を解決する本発明のコンテンツ配信制御システムは、コンテンツの配信制御を行うシステムであって、所定施設内の所定箇所に設置されたカメラ装置より、ユーザを被写体とした静止画または動画の画像データを取得し、前記カメラ装置または当該カメラ装置の撮影ポイント周辺に設置されたＩＤ読取り装置より、前記ユーザが前記撮影ポイント周辺に携行していたＩＤ記録媒体に対する読取り動作で取得されたユーザＩＤを取得する、コンテンツ取得部と、コンテンツとして取得した前記画像データと前記ユーザＩＤとを対応付けて、コンテンツデータベースに格納する、格納処理部と、コンテンツダウンロード用端末または所定場所に設置されているＩＤ読取り装置より、ＩＤ記録媒体に対する読取り動作で取得されたユーザＩＤを含む、コンテンツ取得要求を受信し、このコンテンツ取得要求が含むユーザＩＤに対応付けされたコンテンツを、前記コンテンツデータベースから抽出する、コンテンツ抽出部と、前記抽出したコンテンツおよび当該コンテンツのダウンロード用の情報のうち少なくとも一方を、前記コンテンツダウンロード用端末または前記ＩＤ読取り装置に送信する、配信処理部と、を備える。
【０００６】
また、本発明のコンテンツ配信制御システムにおいて、前記コンテンツ取得部は、前記カメラ装置より画像データと撮影場所となった施設の情報とを取得し、前記カメラ装置または当該カメラ装置の撮影ポイント周辺に設置されたＩＤ読取り装置より、前記ユーザが前記撮影ポイント周辺に携行していたＩＤ記録媒体に対する読取り動作で取得されたユーザＩＤを取得し、前記格納処理部は、コンテンツとして取得した前記画像データと前記施設情報と前記ユーザＩＤとを対応付けて、コンテンツデータベースに格納し、前記コンテンツ抽出部は、コンテンツダウンロード用端末または所定場所に設置されているＩＤ読取り装置より、撮影場所となった施設の施設情報とＩＤ記録媒体に対する読取り動作で取得されたユーザＩＤとを含むコンテンツ取得要求を受信し、このコンテンツ取得要求が含む施設情報およびユーザＩＤに対応付けされたコンテンツを、前記コンテンツデータベースから抽出するものとすれば好適である。
【０００７】
また、本発明のコンテンツ配信制御システムにおいて、前記コンテンツ抽出部は、前記コンテンツダウンロード用端末またはＩＤ読取り装置より受信したコンテンツ取得要求が、複数のユーザＩＤを含んでいた場合、各ユーザＩＤに対応付けされたコンテンツ群を前記コンテンツデータベースから抽出し、前記配信処理部は、前記抽出したコンテンツ群または当該コンテンツ群のダウンロード用の情報を、前記コンテンツダウンロード用端末または前記ＩＤ読取り装置に送信するものであれば好適である。
【０００８】
また、本発明のコンテンツ配信制御システムにおいて、前記コンテンツ取得部は、前記カメラ装置より前記画像データおよび当該画像データの撮影日時情報を取得し、前記カメラ装置または当該カメラ装置の撮影ポイント周辺に設置されたＩＤ読取り装置より、前記ユーザが前記撮影ポイント周辺に携行していたＩＤ記録媒体に対する読取り動作で取得されたユーザＩＤと当該ユーザＩＤの読取り日時情報とを取得し、前記格納処理部は、カメラ装置が設置されている各所定施設に関し時刻に基づき定められた運行計画に、前記取得した撮影日時情報およびユーザＩＤを照合し、該当画像データがどの施設においてどのユーザを対象に撮影されたものかを特定し、該当する画像データとユーザＩＤと施設情報とを対応付けてコンテンツデータベースに格納するものであれば好適である。
【０００９】
また、本発明のコンテンツ配信制御システムは、前記コンテンツデータベースにおいて前記ユーザＩＤが対応付けされた利用済みの施設を特定し、この利用済み施設の情報を施設リストに照合して未利用施設の特定を行う、未利用特定部と、前記未利用施設に設置されたカメラ装置撮影の画像データ、または、予め施設毎に用意されていた画像データを、該当ユーザが利用するダウンロード用端末またはＩＤ読取り装置に送信する、未利用施設画像送信部と、を備えるものとすれば好適である。
【００１０】
また、本発明のコンテンツ配信制御システムにおいて、前記配信処理部は、コンテンツまたは当該コンテンツのダウンロード用の情報を、前記コンテンツダウンロード用端末または前記ＩＤ読取り装置を介して、リムーバブル型の記憶装置に送信するものであれば好適である。
【００１１】
また、本発明のコンテンツ配信制御方法は、コンテンツの配信制御をコンピュータが実行する方法であって、所定施設内の所定箇所に設置されたカメラ装置より、ユーザを被写体とした静止画または動画の画像データを取得し、前記カメラ装置または当該カメラ装置の撮影ポイント周辺に設置されたＩＤ読取り装置より、前記ユーザが前記撮影ポイント周辺に携行していたＩＤ記録媒体に対する読取り動作で取得されたユーザＩＤを取得し、コンテンツとして取得した前記画像データと前記ユーザＩＤとを対応付けて、コンテンツデータベースに格納し、コンテンツダウンロード用端末または所定場所に設置されているＩＤ読取り装置より、ＩＤ記録媒体に対する読取り動作で取得されたユーザＩＤを含む、コンテンツ取得要求を受信し、このコンテンツ取得要求が含むユーザＩＤに対応付けされたコンテンツを、前記コンテンツデータベースから抽出し、前記抽出したコンテンツおよび当該コンテンツのダウンロード用の情報のうち少なくとも一方を、前記コンテンツダウンロード用端末または前記ＩＤ読取り装置に送信する、ことを特徴とする。
【００１２】
また、本発明のコンテンツ配信制御プログラムは、コンテンツの配信制御方法をコンピュータに実行させるためのプログラムであって、所定施設内の所定箇所に設置されたカメラ装置より、ユーザを被写体とした静止画または動画の画像データを取得し、前記カメラ装置または当該カメラ装置の撮影ポイント周辺に設置されたＩＤ読取り装置より、前記ユーザが前記撮影ポイント周辺に携行していたＩＤ記録媒体に対する読取り動作で取得されたユーザＩＤを取得するステップと、コンテンツとして取得した前記画像データと前記ユーザＩＤとを対応付けて、コンテンツデータベースに格納するステップと、コンテンツダウンロード用端末または所定場所に設置されているＩＤ読取り装置より、ＩＤ記録媒体に対する読取り動作で取得されたユーザＩＤを含む、コンテンツ取得要求を受信し、このコンテンツ取得要求が含むユーザＩＤに対応付けされたコンテンツを、前記コンテンツデータベースから抽出するステップと、前記抽出したコンテンツおよび当該コンテンツのダウンロード用の情報のうち少なくとも一方を、前記コンテンツダウンロード用端末または前記ＩＤ読取り装置に送信するステップと、を備える。
【００１３】
なお、前記記憶装置は、当該コンテンツ配信制御システムとネットワークまたは各種のインターフェイスで接続されることとなるが、その接続形態として、コンテンツ等の配信処理の都度接続されるだけで、通常コンテンツ配信制御システムと接続されない、非常時接続を想定できる。但し、記憶装置とコンテンツ配信制御システムとは常時接続であってもよい。また、前記記憶装置は可搬型であることが望ましいが、据え置き型のものでもよい。こうした記憶装置の具体例としては、例えば、ｉＶＤＲ（Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）に適合した記憶装置が想定できる。このｉＶＤＲは、リムーバブルハードディスクの規格の一つであり、パソコンだけでなく、ＡＶ機器や情報家電、車載情報機器など幅広い用途で利用されることを想定している。また、ハードウェアの構成例としては、例えば２．５インチの汎用の小型ハードディスクを用い、専用の５０ピンのコネクタで外部装置と接続される。また、データの転送制御にはパソコンで広く使われているＡＴＡ方式を使うが、ＡＶ機器向けの拡張コマンドや、セキュリティ関連の拡張コマンドが追加されている。また、ハードディスクビデオレコーダなど情報家電での利用を想定しているため、映像データの記録・再生などについて製品間の互換性が保てるよう、ファイルシステムやアプリケーションデータフォーマットについても標準を定めている。ファイルシステムとしてはＵＤＦが使われ、データフォーマットについても、テレビ録画用の映像フォーマットや、コンテンツ保護セキュリティ規格などが規定されることが想定されている。
【００１４】
また、配信するコンテンツとして、ユーザを被写体として撮影した画像データのみならず、例えば、ユーザの声を録音対象とした音声データを扱うとしてもよい。この場合、例えば前記カメラ装置がマイク機能も備えていて、画像データと共に音声データも収録しこれをコンテンツ配信制御システムが利用する訳である。
【００１５】
その他、本願が開示する課題、及びその解決方法は、発明の実施の形態の欄、及び図面により明らかにされる。
【発明の効果】
【００１６】
本発明によれば、ユーザ由来のコンテンツが効率的に配信処理可能となる。
【発明を実施するための最良の形態】
【００１７】
−−−システム構成−−−
以下に本発明の実施形態について図面を用いて詳細に説明する。図１は本実施形態のコンテンツ配信制御システム１００を含むネットワーク構成図である。本発明のコンテンツ配信制御システム１００（以下、システム１００）は、本発明のコンテンツ配信制御方法を実行する機能を実現すべく書き換え可能メモリなどのプログラムデータベース１０１に格納されたプログラム１０２をメモリ１０３に読み出し、演算装置たるＣＰＵ１０４により実行する。
【００１８】
また、前記システム１００は、コンピュータ装置が一般に備えている各種キーボードやボタン類、ディスプレイなどの入出力インターフェイス１０５、ならびに、カメラ装置１５、コンテンツダウンロード用端末３００、ＩＤ読取り装置３５０などとの間のデータ授受を担う通信手段１０６などを有している。
【００１９】
前記システム１００は、前記通信手段１０６により、前記カメラ装置１５、コンテンツダウンロード用端末３００、ＩＤ読取り装置３５０らと例えばインターネットやＬＡＮ、シリアル・インターフェース通信線などのネットワーク１４０を介して接続し、データ授受を実行する。システム１００の各種機能部と通信手段１０６との間ではＩ／Ｏ部１０７がデータのバッファリングや各種仲介処理を実行している。
【００２０】
続いて、システム１００が、例えばプログラム１０２に基づき構成・保持する機能部につき説明を行う。なお、前記システム１００は、コンテンツデータベース１２５を利用可能であるものとする。
【００２１】
前記システム１００は、所定施設１０内の所定箇所に設置されたカメラ装置１５より、ユーザ２５を被写体とした静止画または動画の画像データを取得し、前記カメラ装置１５または当該カメラ装置１５の撮影ポイント周辺に設置されたＩＤ読取り装置３５０より、前記ユーザが前記撮影ポイント周辺に携行していた利用券（ＩＤ記録媒体）２０に対する読取り動作で取得されたユーザＩＤを取得する、コンテンツ取得部１１０を備える。
【００２２】
なお、ここでいう施設１０は、例えば、アミューズメントパーク等における各アトラクションを想定できる。勿論、他の施設であってもいずれも本発明において適用可能である。また、前記ＩＤ記録媒体２０とは、例えば前記アミューズメントパークの利用券で、ユーザＩＤをメモリに格納したＩＣチップを供えたＩＣカードであったり、或いはユーザＩＤをコード化した１次元または２次元のバーコード媒体を想定できる。従って、前記ＩＤ読取り装置３５０も、ＩＣチップリーダであったり、バーコードリーダである場合を想定できる。勿論、ＩＤ記録媒体２０およびＩＤ読取り装置３５０の適用範囲はこれに限定されず、本発明においては、ユーザ識別用の情報を記録した携行可能な媒体と、前記媒体に対する読取り動作を行ってユーザ識別用の情報を取得可能な装置であればいずれも適用可能である。
【００２３】
また、前記カメラ装置１５およびＩＤ読取り装置３５０は、前記アミューズメントパークにおける各アトラクション（施設１０）毎に単数または複数設置される状況が想定できる。なお、前記ＩＤ読取り装置３５０の設置形態としては、例えばアトラクション１０にユーザ２５が乗り込む直前に、ユーザ２５が携行する利用券２０に対するユーザＩＤの読取り動作を行って、後にシステム１００がユーザ２５とユーザＩＤとの対応付けを容易にするよう配慮する。具体的には、例えばアトラクション１０の乗り込み待機の列を区切る仕切用の構造物（バーやコーン等）に設置することが想定できる。また、各施設１０毎に前記カメラ装置１５の撮影した画像データや前記ＩＤ読取り装置３５０の読み取ったユーザＩＤをシステム１００に送信する施設サーバ１６が備わっている状況も想定できる。
【００２４】
また、前記システム１００は、コンテンツ１０００として取得した前記画像データと前記ユーザＩＤとを対応付けて、コンテンツデータベース１２５に格納する、格納処理部１１１を備える。
【００２５】
また、前記システム１００は、コンテンツダウンロード用端末３００または所定場所に設置されているＩＤ読取り装置３５０より、ＩＤ記録媒体２０に対する読取り動作で取得されたユーザＩＤを含む、コンテンツ取得要求を受信し、このコンテンツ取得要求が含むユーザＩＤに対応付けされたコンテンツ１０００を、前記コンテンツデータベース１２５から抽出する、コンテンツ抽出部１１２を備える。
【００２６】
なお、ここでいうコンテンツダウンロード用端末３００は、ユーザ２５が所持するパーソナルコンピュータ等の他、駅、公共施設、ガソリンスタンド、高速道路料金所等に設置されている情報端末（ＥＴＣシステム含む）、或いはユーザ２５が使用する自動車に車載されたカーナビゲーションシステムを想定することもできる。また、こうしたコンテンツダウンロード用端末３００（ネットワーク１４０にアクセスしデータ通信を行う通信部３１０を備える）が、ネットワーク１４０を介してシステム１００よりコンテンツ１０００を取得し、適宜な記憶装置２００に格納するものとできる。
【００２７】
また、前記システム１００は、前記抽出したコンテンツ１０００または当該コンテンツ１０００のダウンロード用の情報を、前記コンテンツダウンロード用端末３００または前記ＩＤ読取り装置３５０に送信する、配信処理部１１３を備える。なお、コンテンツダウンロード用の情報とは、例えば、ダウンロードサイトのマスクＵＲＬであったり、或いはダウンロード時におけるダウンロード権利の認証用情報であったりする。
【００２８】
また、前記システム１００における前記コンテンツ取得部１１０は、前記カメラ装置１５より画像データと撮影場所となった施設１０の情報とを取得し、前記カメラ装置１５または当該カメラ装置１５の撮影ポイント周辺に設置されたＩＤ読取り装置３５０より、前記ユーザが前記撮影ポイント周辺に携行していたＩＤ記録媒体２０に対する読取り動作で取得されたユーザＩＤを取得するものとできる。
【００２９】
この場合、前記格納処理部１１１は、コンテンツ１０００として取得した前記画像データと前記施設情報と前記ユーザＩＤとを対応付けて、コンテンツデータベース１２５に格納する。また、前記コンテンツ抽出部１１２は、コンテンツダウンロード用端末３００または所定場所に設置されているＩＤ読取り装置３５０より、撮影場所となった施設１０の施設情報とＩＤ記録媒体２０に対する読取り動作で取得されたユーザＩＤとを含むコンテンツ取得要求を受信し、このコンテンツ取得要求が含む施設情報およびユーザＩＤに対応付けされたコンテンツ１０００を、前記コンテンツデータベース１２５から抽出するものとすれば好適である。
【００３０】
また、前記システム１００における前記コンテンツ抽出部１１２は、前記コンテンツダウンロード用端末３００またはＩＤ読取り装置３５０より受信したコンテンツ取得要求が、複数のユーザＩＤを含んでいた場合、各ユーザＩＤに対応付けされたコンテンツ群を前記コンテンツデータベース１２５から抽出するものとすれば好適である。この場合、前記配信処理部１１３は、前記抽出したコンテンツ群または当該コンテンツ群のダウンロード用の情報を、前記コンテンツダウンロード用端末３００または前記ＩＤ読取り装置３５０に送信するものとすれば好適である。
【００３１】
また、前記システム１００において前記コンテンツ取得部１１０は、前記カメラ装置１５より前記画像データおよび当該画像データの撮影日時情報を取得し、前記カメラ装置１５または当該カメラ装置１５の撮影ポイント周辺に設置されたＩＤ読取り装置３５０より、前記ユーザが前記撮影ポイント周辺に携行していたＩＤ記録媒体２０に対する読取り動作で取得されたユーザＩＤと当該ユーザＩＤの読取り日時情報とを取得するものとすれば好適である。この場合、前記格納処理部１１１は、カメラ装置１５が設置されている各所定施設１０に関し時刻に基づき定められた運行計画１２７に、前記取得した撮影日時情報およびユーザＩＤを照合し、該当画像データがどの施設１０においてどのユーザを対象に撮影されたものかを特定し、該当する画像データとユーザＩＤと施設情報とを対応付けてコンテンツデータベース１２５に格納するものとすれば好適である。
【００３２】
また、前記システム１００は、前記コンテンツデータベース１２５において前記ユーザＩＤが対応付けされた利用済みの施設を特定し、この利用済み施設の情報を施設リストに照合して未利用施設の特定を行う、未利用特定部１１４を備えるものとすれば好適である。
【００３３】
また、前記システム１００は、前記未利用施設に設置されたカメラ装置が撮影した画像データ、または、予め施設毎に用意されていた画像データを、該当ユーザが利用するダウンロード用端末３００またはＩＤ読取り装置３５０に送信する、未利用施設画像送信部１１５を備えるものとすれば好適である。
【００３４】
また、前記システム１００において、前記配信処理部１１３は、コンテンツ１０００または当該コンテンツ１０００のダウンロード用の情報を、前記コンテンツダウンロード用端末３００または前記ＩＤ読取り装置３５０を介して、リムーバブル型の記憶装置２００に送信するものであれば好適である。
【００３５】
こうした記憶装置２００の具体例としては、例えば、ｉＶＤＲ（Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）に適合した記憶装置が想定できる。このｉＶＤＲは、リムーバブルハードディスクの規格の一つであり、パソコンだけでなく、ＡＶ機器や情報家電、車載情報機器など幅広い用途で利用されることを想定している。また、ハードウェアの構成例としては、例えば２．５インチの汎用の小型ハードディスクを用い、専用の５０ピンのコネクタで外部装置と接続される。また、データの転送制御にはパソコンで広く使われているＡＴＡ方式を使うが、ＡＶ機器向けの拡張コマンドや、セキュリティ関連の拡張コマンドが追加されている。また、ハードディスクビデオレコーダなど情報家電での利用を想定しているため、映像データの記録・再生などについて製品間の互換性が保てるよう、ファイルシステムやアプリケーションデータフォーマットについても標準を定めている。ファイルシステムとしてはＵＤＦが使われ、データフォーマットについても、テレビ録画用の映像フォーマットや、コンテンツ保護セキュリティ規格などが規定されることが想定されている。
【００３６】
なお、これまで示した  前記システム１００における各機能部１１０〜１１５は、ハードウェアとして実現してもよいし、メモリやＨＤＤ（Ｈａｒｄ  Ｄｉｓｋ  Ｄｒｉｖｅ）などの適宜な記憶装置に格納したプログラムとして実現するとしてもよい。この場合、前記ＣＰＵ１０４がプログラム実行に合わせて記憶装置より該当プログラムをメモリ１０３に読み出して、これを実行することとなる。
【００３７】
また、前記ネットワーク１４０に関しては、インターネット、ＬＡＮの他、ＡＴＭ回線や専用回線、ＷＡＮ（Ｗｉｄｅ  Ａｒｅａ  Ｎｅｔｗｏｒｋ）、電灯線ネットワーク、無線ネットワーク、公衆回線網、携帯電話網、シリアル・インターフェース通信線など様々なネットワークを採用することも出来る。また、ＶＰＮ（Ｖｉｒｔｕａｌ  Ｐｒｉｖａｔｅ  Ｎｅｔｗｏｒｋ）など仮想専用ネットワーク技術を用いれば、インターネットを採用した際にセキュリティ性を高めた通信が確立され好適である。なお、前記シリアル・インターフェイスは、単一の信号線を用いて１ビットずつ順次データを送るシリアル伝送で、外部機器と接続するためのインターフェースを指し、通信方式としてはＲＳ−２３２Ｃ、ＲＳ−４２２、ＩｒＤＡ、ＵＳＢ、ＩＥＥＥ１３９４、ファイバ・チャネルなどが想定できる。
【００３８】
−−−データベース構造−−−
次に、本実施形態のコンテンツ配信制御システム１００が利用するデータベースの構造について説明する。図２は、本実施形態における、（ａ）コンテンツデータベース１２５、（ｂ）ユーザデータベース１２６、（ｃ）運行計画１２７、（ｄ）施設リスト１２８の各データ構造例を示す図である。
【００３９】
前記コンテンツデータベース１２５は、前記システム１００からコンテンツダウンロード用端末３００等に配信されるコンテンツ１０００としての画像データ（被写体がユーザであるもの）やその撮影施設の情報、撮影日時情報等を、カメラ装置１５などから取得し、これを格納するデータベースである。このようなコンテンツデータベース１２５は、例えばコンテンツＩＤをキーとして、コンテンツ本体（画像データなど）、撮影を担当したカメラ装置１５のＩＤ、対応付けされた施設情報、撮影日時情報、撮影されたユーザ２５のユーザＩＤ（ＩＤ読取り装置３５０より取得したもの）といった情報を関連づけたレコードの集合体となっている。
【００４０】
また、前記ユーザデータベース１２６は、コンテンツをシステム１００よりダウンロードして利用するユーザの情報を格納するデータベースであり、例えばユーザＩＤをキーとして、ＩＤ記録媒体２０のＩＤ（例：アミューズメントパーク等における利用券のＩＤ）、パスワードなどの認証情報、コンテンツ閲覧履歴、住所などの情報を関連づけたレコードの集合体となっている。
【００４１】
また、前記運行計画１２７は、各所定施設１０に関し時刻に基づき定められた運行計画を格納するデータベースである。運行計画の例としては、例えば、アミューズメントパークを構成するアトラクション（施設１０）としての乗り物の、運行時刻テーブルを想定できる。こうした運用計画１２７は、例えば各施設１０毎に時刻情報をキーとして、各施設１０の出発〜所定箇所通過〜停止、の各時刻情報を関連づけたレコードの集合体となっている。
【００４２】
また、前記施設リスト１２８は、例えばアミューズメントパークに含まれる施設の情報を格納するデータベースであり、例えば施設ＩＤをキーとして、施設名、設置されたカメラ装置１５のＩＤ、対象年齢、所要時間などの情報を関連づけたレコードの集合体となっている。
【００４３】
−−−処理フロー例１−−−
以下、本実施形態におけるコンテンツ配信制御方法の実際手順について、図に基づき説明する。なお、以下で説明するコンテンツ配信制御方法に対応する各種動作は、前記コンテンツ配信制御システム１００が、メモリ１０３に読み出して実行するプログラム１０２によって実現される。そして、このプログラム１０２は、以下に説明される各種の動作
を行うためのコードから構成されている。
【００４４】
図３は、本実施形態のコンテンツ配信制御方法の実施手順例１を示すフロー図である。まず、システム１００は、前記アミューズメントパーク等の施設１０たるアトラクション（以下、アトラクション１０）に設置されているカメラ装置１５より、当該アトラクション１０を利用直前、利用中、利用直後のいずれかのタイミングにいるユーザ２５を被写体とした静止画または動画の画像データと、撮影場所となったアトラクション１０の施設ＩＤなど属性情報を取得する（Ｓ３００）。
【００４５】
また、この画像データ等の取得に際してシステム１００は、当該画像データの撮影を行った前記カメラ装置１５、または当該カメラ装置１５の撮影ポイント周辺に設置されたＩＤ読取り装置３５０より、前記ユーザ２５が前記撮影ポイント周辺に携行していたＩＤ記録媒体２０たる利用券（以下、利用券２０）に対する読取り動作で取得されたユーザＩＤたる利用券ＩＤ（以下、利用券ＩＤ）を取得する（Ｓ３０１）。
【００４６】
なお、前記ユーザ２５の画像データと、当該ユーザ２５の携行した利用券２０から読み取った利用券ＩＤとが一意に対応付けできるよう、前記カメラ装置１５の撮影ポイントと前記ＩＤ読取り装置３５０の読取りポイントとが出来るだけ接近していることが好ましい。例えば、アトラクション１０に乗り込むユーザ２５をカメラ装置１５が撮影する場合、アトラクション乗り込みのためにユーザ２５が待機している待ち行列の、乗り込み口直近にＩＤ読取り装置３５０を設置するとすれば好適である。
【００４７】
こうしてシステム１００は、コンテンツ１０００として取得した前記画像データと前記施設情報と前記利用券ＩＤ（ユーザＩＤ）とを対応付けて、コンテンツデータベース１２５に格納する（Ｓ３０２）。
【００４８】
アトラクション１０を抱えるアミューズメントパークでは、このようなカメラ装置１５とＩＤ読取り装置３５０とを組み合わせたシステムが各所に設けられていて、ユーザ２５がアトラクション１０を利用して楽しむ様子を適宜撮影することができる。勿論、アトラクション１０の利用に際し、ユーザ２５に対しては、こうした撮影を行うことを事前に通知して了解を得ているものとする。ユーザ２５は、普段と同じ感覚でアトラクション１０を利用していれば、適宜な撮影ポイントにおける自分自身（同行者含む）の画像データや音声データなどのコンテンツ１０００をアミューズメントパーク側で確保しておいてくれるという利点がある。そこで、こうしたコンテンツ１０００を、ユーザ２５が取得し利用したいと希望したとする。
【００４９】
この場合、ユーザ２５は、コンテンツダウンロード用端末３００としての、例えば帰途の車中で利用可能なカーナビゲーションシステムや、帰宅後に利用可能な自宅のパーソナルコンピュータなどを利用して、前記システム１００にアクセスし、前記利用券２０の利用券ＩＤを含むコンテンツ取得要求を生成・送信する（Ｓ３０３、Ｓ３０４）。或いは、帰途の途中あるいは帰途後に立ち寄ったガソリンスタンドやコンビニエンスストア、ファーストフード店、駐車場といった各種施設内に設置されている、前記ＩＤ読取り装置３５０に対し、ユーザ２５が所持している前記利用券２０の読取りをユーザ２５が実行させ、このＩＤ読取り装置３５０からシステム１００に対し、前記コンテンツ取得要求を送信することもできる。
【００５０】
なお、あくまでも一例であるが、図１のネットワーク構成で示したように、前記コンテンツダウンロード用端末として、カーナビゲーションシステム３００を利用する場合、このカーナビゲーションシステム３００には、上述したリムーバブルディスク等の記憶装置２００を、読み出し装置６００を介して接続している状況を想定できる。従って、システム１００（あるいはシステム１００と接続された前記ガソリンスタンド等に設置の各種情報端末等）とのネットワーク１４０を介したデータ通信は、前記カーナビゲーションシステム３００の通信部３１０が実行し、このデータ通信によりシステム１００から取得したコンテンツ１０００は、読み出し装置６００を介して記憶装置２００に格納されることとなる。
【００５１】
このような処理に際して、前記コンテンツダウンロード用端末３００やＩＤ読取り装置３５０の備える出力インターフェイスたるディスプレイの画面表示例を説明する。図６は、本実施形態の画面例１を示す図であり、図７は、本実施形態の画面例２を示す図である。例えば前記カーナビゲーションシステム３００を備えたユーザ２５の自動車が、前記情報端末を設置したガソリンスタンド等に帰途立ち寄ったとする。この時、前記カーナビゲーションシステム３００は、ガソリンスタンド等の情報端末を介してシステム１００にアクセスし、画面１１００を取得・表示する。
【００５２】
ここでユーザ２５は、前記アミューズメントパークでの利用券２０を、ガソリンスタンド等の情報端末またはカーナビゲーションシステム３００が備えるＩＤ読取り装置３５０において提示する（画面１１１０）。このユーザ２５が家族連れでアミューズメントパークを利用しており、しかも家族の構成員が別々に利用したアトラクション１０があったとすれば、前記画像データ等のコンテンツ１０００も家族分をまとめて取得したいとの希望が生じやすい。そこで、システム１００は画面１１２０をカーナビゲーションシステム３００に送信し、複数の利用券２０に対する利用券ＩＤの読取り動作有無を確認するのである。ここで複数の利用券２０に対する読取り動作をユーザ２５が希望すれば、画面１１３０、画面１１４０を１つの利用券２０の読取り完了の都度提示し、例えば全家族分の利用券２０に対するＩＤ読取り装置３５０の読取り動作指示を受け付ける。
【００５３】
他方、ＩＤ読取り装置３５０は、上述した利用券ＩＤの読取り動作指示を、カーナビゲーションシステム３００や情報端末等から受けて、自身の利用券挿入口などに挿入されている利用券２０に対する利用券ＩＤの読取り動作を実行することとなる。この読取り動作で取得された利用券ＩＤは、前記カーナビゲーションシステム３００等でユーザ２５から受け付けていた、所望する画像データ等の撮影場所となった施設名称（施設情報）と共にコンテンツ取得要求に付帯させて、システム１００に送信される。
【００５４】
システム１００では、このコンテンツ取得要求を受信し（Ｓ３０５）、当該コンテンツ取得要求に複数の利用券ＩＤ（ユーザＩＤ）が含まれているか判定する（Ｓ３０６）。ここでコンテンツ取得要求に複数の利用券ＩＤが含まれていた場合（Ｓ３０６：ＹＥＳ）、各用券ＩＤ（または利用券ＩＤと施設情報）に対応付けされたコンテンツ群を前記コンテンツデータベース１２５から抽出する（Ｓ３０７）。
【００５５】
他方、コンテンツ取得要求に複数の利用券ＩＤが含まれていなかった場合（Ｓ３０６：ＮＯ）、このコンテンツ取得要求が含む一つの利用券ＩＤ（または利用券ＩＤと施設情報）に対応付けされたコンテンツを、前記コンテンツデータベースから抽出する（Ｓ３０８）。
【００５６】
続いてシステム１００は、抽出したコンテンツ１０００（コンテンツ群）または当該コンテンツ１０００（コンテンツ群）のダウンロード用の情報を、前記コンテンツダウンロード用端末たるカーナビゲーションシステム３００または前記ＩＤ読取り装置３５０に送信する（Ｓ３０９）。
【００５７】
前記ダウンロード用の情報としては、図６の画面１１５０、１１６０、１１７０、１１８０に示すように、ユーザ２５のメールアドレスを取得してこれ宛てに送信する、コンテンツダウンロードサイトのＵＲＬ（マスクＵＲＬが好ましい）、コンテンツダウンロードサイトのアクセス用の認証情報といったものを想定できる。
【００５８】
一方、カーナビゲーションシステム３００等では、前記コンテンツ１０００もしくは当該コンテンツ１０００のダウンロード用の情報を受信し（Ｓ３１０）、これを記憶装置２００に格納する（Ｓ３１１）。
【００５９】
なお、システム１００側から送信されてきたコンテンツ１０００または当該コンテンツ１０００のダウンロード用の情報が、図７の画面１１９０に示すような、前記アミューズメントパークの各アトラクション１０でユーザ２５について撮影等されたコンテンツ１０００の一覧であると好ましい。この画面１１９０は、前記画面１１５０で取得したユーザ２５のメールアドレスに宛ててシステム１００が送ったコンテンツダウンロードサイトで表示されるものである。
【００６０】
このためシステム１００では、前記ダウンロード用の情報たるＵＲＬをユーザ側に送信するに際し、該当ユーザ２５から取得した利用券ＩＤに対応付けされた画像データ等のコンテンツ１０００を一覧化して、前記カーナビゲーションシステム３００等からのアクセスを待っていることとなる。そして、この画面１１９０にてユーザ２５からのダウンロード開始の指示を受けたシステム１００が、前記カーナビゲーションシステム３００等にコンテンツ１０００の配信を行うのである。
【００６１】
前記コンテンツ１０００が有料である場合、ユーザ２５は、前記カーナビゲーションシステム３００等で、配信されてきたコンテンツ１０００を所定回数（例：１回）のみ閲覧し（図７：画面１１３０）、購入意志が決まれば決済処理を実行する。システム１００では前記決済処理の指示を受け付けて所定の決済処理を実行し、決済終了の旨を通知する（画面１１４０）。
【００６２】
なお、コンテンツ１０００または当該コンテンツ１０００のダウンロード用の情報は、前記コンテンツダウンロード用端末たるカーナビゲーションシステム３００または前記ＩＤ読取り装置３５０に接続された前記読み出し装置６００を介して、リムーバブル型の記憶装置２００に格納される例をここでは示している。勿論、コンテンツダウンロード用端末自身がそのままコンテンツ１０００または当該コンテンツ１０００のダウンロード用の情報を格納するとしてもよい。
【００６３】
この場合、前記記憶装置２００では、前記コンテンツ１０００または当該コンテンツ１０００のダウンロード用の情報を取得し、適宜な記憶領域に格納する（Ｓ３１２）。その後、このコンテンツ１０００の再生指示を入力インターフェイスより受けた場合（Ｓ３１３）、該当コンテンツ１０００を抽出（或いはシステム１００よりダウンロード）し（Ｓ３１４）、再生可能なものか判定を行う（Ｓ３１５）。この場合、例えば、前記システム１００がコンテンツ１０００を配信するに際し、該当コンテンツの配信元たる前記アミューズメントパークからの指示、または該当ユーザ２５との契約内容に応じた、コンテンツの利用可能回数、利用可能時期、および利用可能総時間の少なくともいずれかに関する制御情報を生成して、これをカーナビゲーションシステム３００等に配信しているものとする。
【００６４】
記憶装置２００は、前記ステップＳ３１５において、前記制御情報が含む利用可能時期の情報を、記憶装置２００自身が備えるカレンダ機能に照合することで行う、前記コンテンツ１０００が現在利用可能な時期であるかの判定処理と、前記制御情報が含む利用可能回数または利用可能総時間の情報を、記憶装置２００自身が備えるコンテンツ１０００に関する利用履歴に照合し、前記コンテンツ１０００の利用可能回数または利用可能総時間の残余有無を特定することで行う、前記コンテンツ１０００が現在利用可能であるかの判定処理と、の少なくともいずれかの判定処理を実行する。
【００６５】
前記記憶装置２００は、前記判定処理の結果が、前記コンテンツ１０００が現在利用可能な時期でない場合、または前記コンテンツ１０００の利用可能回数または利用可能総時間の残余が無い場合（Ｓ３１５：ＮＯ）、該当コンテンツ１０００の制御情報において利用不可の設定するか、該当コンテンツの削除処理を実行し（Ｓ３１６）、処理を終了する。他方、前記判定処理の結果が、前記コンテンツ１０００が現在利用可能な時期である場合、または前記コンテンツ１０００の利用可能回数または利用可能総時間の残余がある場合（Ｓ３１５：ＹＥＳ）、該当コンテンツ１０００の利用が可能な旨の通知を出力インターフェイス（やカーナビゲーションシステム３００等）に出力し（Ｓ３１７）、該当コンテンツ１０００の出力を実行する（Ｓ３１８）。また、コンテンツ１０００の利用に際しては、その利用履歴を蓄積し（Ｓ３１９）、以後に実行される前記ステップＳ３１５の判定処理に備える。
【００６６】
−−−処理フロー例２−−−
図４は、本実施形態のコンテンツ配信制御方法の実施手順例２を示すフロー図である。次に、前記ユーザ２５（の画像データ等）と、当該ユーザ２５が利用するアトラクション１０との一意な対応付けを行うに際して、アトラクション１０を詳細に特定する情報が無い場合に対応する手順について説明する。このような状況としては、例えば、列車等を連続的に運行する形式のアトラクション１０において、各列車、或いは各列車を構成する各車両単体毎に施設ＩＤが設定されておらず、これらを利用するユーザ２５を一意に対応付けすることが難しい場合を想定できる。
【００６７】
こうした状況に対応するべく、前記システム１００は、例えば前記列車毎に定められた運行計画１２７を予め備えているものとする。そこでシステム１００は、前記カメラ装置１５より前記画像データおよび当該画像データの撮影日時情報を取得し（Ｓ４０）、前記カメラ装置１５または当該カメラ装置１５の撮影ポイント周辺に設置されたＩＤ読取り装置３５０より、前記ユーザ２５が前記撮影ポイント周辺に携行していた利用券２０に対する読取り動作で取得された利用券ＩＤ（ユーザＩＤ）と当該利用券ＩＤの読取り日時情報とを取得する（Ｓ４０１）。
【００６８】
続いてシステム１００は、前格運行計画１２７に、前記取得した撮影日時情報および利用券ＩＤを照合し、該当画像データがどのアトラクション１０のどの列車においてどのユーザ２５を対象に撮影されたものかを特定する。具体的には、システム１００は、前記カメラ装置１５が設置されているアトラクション１０を前記施設リスト１２８（図２（ｄ）参照）よりまず特定し、このアトラクション１０に対応する運行計画１２７を認識する。この運行計画１２７には、アトラクション１０たる列車毎の、スタート時刻や各ポイントでの通過時刻等の情報が含まれているから、システム１００が前記撮影日時情報を、この運行計画１２７における各ポイントの通過時刻間に含まれるか判定することで、どのポイントもしくはポイント間で撮影されたものかを特定できる。
【００６９】
こうして前記ユーザ２５に関わるコンテンツ１０００を特定したシステム１００は、該当する画像データと利用券ＩＤ（ユーザＩＤ）と施設ＩＤ（施設情報）とを対応付けてコンテンツデータベース１２５に格納し（Ｓ４０４）、処理を終了する。
【００７０】
−−−処理フロー例３−−−
図５は、本実施形態のコンテンツ配信制御方法の実施手順例３を示すフロー図である。次に、ユーザ２５が未利用のアトラクション１０に関する画像データ等のコンテンツ１０００を、ユーザ２５側に提供する処理について説明する。想定する状況としては、例えば、前記アミューズメントパークに多くのアトラクション１０が存在しているが、前記ユーザ２５が全てを利用しきれずに帰途に着いた場合がある。
【００７１】
この場合、システム１００は、前記コンテンツデータベース１２５において前記利用券ＩＤが対応付けされた利用済みのアトラクション１０を特定する（Ｓ５００）。そして、システム１００は、この利用済みアトラクション１０の情報を施設リスト１２８に照合して未利用アトラクション１０の特定を行う（Ｓ５０２）。
【００７２】
また、システム１００は、前記未利用アトラクション１０に設置されたカメラ装置撮影の画像データを、例えば前記コンテンツデータベース１２５から取得する。この場合、他のユーザ２５が写り込んでいない紹介用の画像を撮影する専用のカメラ装置１５を配置して画像データの収集を適宜行っているか、カメラ装置１５が営業開始前などに予め撮影してシステム１００が取得しているものとする。または、予めアトラクション１０毎に用意されていた紹介用の画像データがコンテンツデータベース１２５に格納されている場合、これをシステム１００が取得する。コンテンツ１０００を取得したシステム１００は、該当ユーザ２５が利用するダウンロード用端末３００またはＩＤ読取り装置３５０にこのコンテンツ１０００を送信し（Ｓ５０４）、処理を終了する。
【００７３】
このような処理をシステム１００が行うことで、例えば、ユーザ２５としては利用したかったが時間的に利用できなかったアトラクション１０についても、例えばユーザ２５の帰途に前記カーナビゲーションシステム３００等に映像配信を行って疑似体験のサービスを行ったり、或いは、次回利用時の参考情報の提供サービスを行うといったことも可能になる。
【００７４】
本発明によれば、ユーザ由来のコンテンツが効率的に配信処理可能となる。
【００７５】
以上、本発明の実施の形態について、その実施の形態に基づき具体的に説明したが、これに限定されるものではなく、その要旨を逸脱しない範囲で種々変更可能である。
【図面の簡単な説明】
【００７６】
【図１】本実施形態のコンテンツ配信制御システムを含むネットワーク構成図である。
【図２】本実施形態における、（ａ）コンテンツデータベース、（ｂ）ユーザデータベース、（ｃ）運行計画、（ｄ）施設リストの各データ構造例を示す図である。
【図３】本実施形態のコンテンツ配信制御方法の実施手順例１を示すフロー図である。
【図４】本実施形態のコンテンツ配信制御方法の実施手順例２を示すフロー図である。
【図５】本実施形態のコンテンツ配信制御方法の実施手順例３を示すフロー図である。
【図６】本実施形態の画面例１を示す図である。
【図７】本実施形態の画面例２を示す図である。
【符号の説明】
【００７７】
１０  施設、アトラクション            １５  カメラ装置
１６  施設サーバ                      ２０  ＩＤ記録媒体
２５  ユーザ
１００  コンテンツ配信制御システム    １０１  プログラムデータベース
１０２  プログラム                    １０３  メモリ
１０４  ＣＰＵ                        １０５  入出力インターフェイス
１０６  通信手段                      １０７  Ｉ／Ｏ部
１１０  コンテンツ取得部              １１１  格納処理部
１１２  コンテンツ抽出部              １１３  配信処理部
１１４  未利用特定部                  １１５  未利用施設画像送信部
１２５  コンテンツデータベース        １２６  ユーザデータベース
１２７  運行計画                      １２８  施設リスト
１４０  ネットワーク                  ２００  記憶装置
３００  コンテンツダウンロード用端末、カーナビゲーションシステム
３１０  通信部                        ３５０  ＩＤ読取り装置
６００  読み出し装置                  １０００  コンテンツ
【図１】
2006309543.tif 000003
【図２】
2006309543.tif 000004
【図３】
2006309543.tif 000005
【図４】
2006309543.tif 000006
【図５】
2006309543.tif 000007
【図６】
2006309543.tif 000008
【図７】
2006309543.tif 000009